(57)【要約】【課題】温度センサが取付位置から脱落した場合、温度センサの接続を誤った場合、蒸発器にアイスバンクが生じている場合などに起因する異常を報知することができるショーケースを提供すること。【解決手段】複数の部位にそれぞれ取り付けられ、部位ごとの温度を計測する複数の温度センサを備え、複数の温度センサが計測した部位ごとの温度に基づいて運転制御するショーケースにおいて、温度調節用温度センサが計測した温度Ａと除霜温度センサが計測した温度ＢとがＡ≧Ｂ＋２の関係を満たさない場合（ステップＳ２：Ｎｏ）、温度調節用温度センサが計測した温度Ａと外気温度センサが計測した温度ＣとがＡ＋１５≦Ｃの関係を満たさない場合（ステップＳ５：Ｎｏ）に異常と判定し（ステップＳ３，ステップＳ６）、その旨を報知するので、温度調節用温度センサや除霜センサが取付位置から脱落した場合などに起因する異常を知ることができる。【選択図】図５
2012112580.tif 000002
【特許請求の範囲】
【請求項１】
複数の部位にそれぞれ取り付けられ、部位ごとの温度を計測する複数の温度センサを備え、前記複数の温度センサが計測した部位ごとの温度に基づいて運転制御するショーケースにおいて、
第１の部位に取り付けた温度センサが計測した第１の温度と前記第１の部位と異なる第２の部位に取り付けた温度センサが計測した第２の温度とがあらかじめ定めた関係を満たさない場合に異常と判定する判定手段と、
前記判定手段が異常と判定した場合にその旨を報知する報知手段と
を備えたことを特徴とするショーケース。
【請求項２】
前記判定手段は、冷却運転している場合にあらかじめ定めた第１の関係を満たさない場合に異常と判定し、除霜運転している場合にあらかじめ定めた第２の関係を満たさない場合に異常と判定することを特徴とする請求項１に記載のショーケース。
【請求項３】
前記判定手段は、店舗が開店中の場合にあらかじめ定めた第３の関係を満たさない場合に異常と判定し、店舗が閉店中の場合にあらかじめ定めた第４の関係を満たさない場合に異常と判定することを特徴とする請求項１または２に記載のショーケース。
【発明の詳細な説明】
【技術分野】
【０００１】
本発明は、陳列した商品をあらかじめ設定した温度域で保冷するショーケースに関する。
【背景技術】
【０００２】
商品を陳列する収容庫の内部に温度センサを設置し、温度センサが計測した温度データとあらかじめ設定した温度域データとに基づいて、ショーケースの冷凍サイクル内に設けた電磁開閉弁を開閉制御するショーケースが広く知られている。
【０００３】
上述したショーケースのなかには、正常運転時における電磁開閉弁の開閉間隔を記憶しておき、温度センサに断線などの故障が生じた場合に、正常運転時における開閉間隔で電磁開閉弁を開閉制御することにより、収容庫の内部の温度をあらかじめ設定した温度域に近い状態で運転するものがある（たとえば、特許文献１参照）。
【０００４】
また、上述したショーケースのなかには、複数の温度センサを備え、一または複数の温度センサに故障が生じた場合に、故障した温度センサ以外の温度センサが計測した温度データを故障した温度センサの設置場所における温度データに補正し、補正した温度データとあらかじめ設定した温度域データとに基づいてショーケースの冷凍サイクル内に設けた電磁開閉弁を開閉制御することにより、収容庫の内部の温度をあらかじめ設定した温度域に近い状態で運転するものがある（たとえば、特許文献２参照）。
【０００５】
ところで、温度センサは、単体で管理され、信号に異常が認められた場合に故障と判定していた。たとえば、温度センサにＮＴＣサーミスタを用いた場合には、抵抗値が所定値よりも大きい場合に断線故障と判定し、抵抗値が所定値よりも小さい場合に短絡故障と判定していた。
【先行技術文献】
【特許文献】
【０００６】
【特許文献１】特開平７−１９０５８０号公報
【特許文献２】特開平１０−９９１６７号公報
【発明の概要】
【発明が解決しようとする課題】
【０００７】
しかしながら、温度センサを単体で管理し、信号に異常が認められた場合に故障と判定するのでは、温度センサの故障を判定できても、温度センサが取付位置から脱落した場合、温度センサの取付位置を間違えた場合、温度センサの接続を誤った場合、蒸発器にアイスバンクが生じている場合などに起因する異常を報知することができない。
【０００８】
本発明は、上記に鑑みてなされたものであって、温度センサが取付位置から脱落した場合、温度センサの取付位置を間違えた場合、温度センサの接続を誤った場合、蒸発器にアイスバンクが生じている場合などに起因する異常を報知することができるショーケースを提供することを目的とする。
【課題を解決するための手段】
【０００９】
上述した課題を解決し、目的を達成するために、本発明は、複数の部位にそれぞれ取り付けられ、部位ごとの温度を計測する複数の温度センサを備え、前記複数の温度センサが計測した部位ごとの温度に基づいて運転制御するショーケースにおいて、第１の部位に取り付けた温度センサが計測した第１の温度と前記第１の部位と異なる第２の部位に取り付けた温度センサが計測した第２の温度とがあらかじめ定めた関係を満たさない場合に異常と判定する判定手段と、前記判定手段が異常と判定した場合にその旨を報知する報知手段とを備えたことを特徴とする。
【００１０】
また、本発明は、上記発明において、前記判定手段は、冷却運転している場合にあらかじめ定めた第１の関係を満たさない場合に異常と判定し、除霜運転している場合にあらかじめ定めた第２の関係を満たさない場合に異常と判定することを特徴とする。
【００１１】
また、本発明は、上記発明において、前記判定手段は、店舗が開店中の場合にあらかじめ定めた第３の関係を満たさない場合に異常と判定し、店舗が閉店中の場合にあらかじめ定めた第４の関係を満たさない場合に異常と判定することを特徴とする。
【発明の効果】
【００１２】
本発明にかかるショーケースは、第１の部位に取り付けた温度センサが計測した第１の温度と第１の部位と異なる第２の部位に取り付けた温度センサが計測した第２の温度とがあらかじめ定めた関係を満たさない場合に異常と判定し、その旨を報知するので、温度センサが取付位置から脱落した場合、温度センサの取付位置を間違えた場合、温度センサの接続を誤った場合、蒸発器にアイスバンクが生じている場合などに起因する異常を報知することができる。
【図面の簡単な説明】
【００１３】
【図１】図１は、本発明の実施の形態であるショーケースを示す斜視図である。
【図２】図２は、図１に示したショーケースの内部構造を示す断面図である。
【図３】図３は、図１に示したショーケースの制御構成を示すブロック図である。
【図４】図４は、図１に示したショーケースの運転状態と各部位における温度との関係を示す図である。
【図５】図５は、本発明の実施の形態であるショーケースにおける異常検出手順を示すフローチャートである。
【発明を実施するための形態】
【００１４】
以下に、本発明にかかるショーケースの実施の形態を図面に基づいて詳細に説明する。なお、この実施の形態によりこの発明が限定されるものではない。
【００１５】
図１は、本発明の実施の形態であるショーケースを示す斜視図であり、図２は、図１に示したショーケースの内部構造を示す断面図である。ここで例示するショーケース１は、スーパーマーケット、コンビニエンスストアなどの店舗において冷凍商品や生鮮食品などの商品を陳列販売するためのものであって、オープンショーケースと称されている。ショーケース１は、台座１１とケース本体１２とを備えている。台座１１は、平面視矩形の外形を有する枠体であり、その上にケース本体１２が搭載される。
【００１６】
ケース本体１２は、直方体の箱の前面および両側面が開口した形状を有している。ケース本体１２は、底部を構成する船底状の船底壁部１２Ａと、船底壁部１２Ａの後端縁から上方に向けて延在した背壁部１２Ｂと、背壁部１２Ｂの上端縁から前方に向けて延在した天井壁部１２Ｃを有しており、これらは、左右一対をなす側板１２Ｄに取り付けられている。また、船底壁部１２Ａ、背壁部１２Ｂ、天井壁部１２Ｃ、側板１２Ｄの内部には、断熱材（図示せず）が配設してあり、ケース本体１２の内部と外部とは断熱されている。
【００１７】
側板１２Ｄは、水平方向に延びる基部１２Ｄ１と、基部１２Ｄ１の後端部から上方に向けて延在する柱部１２Ｄ２と、柱部１２Ｄ２の上端部から前方に向けて延在する梁部１２Ｄ３とを有しており、側面視コの字状を成している。
【００１８】
図２に示すように、ケース本体１２の底部を構成する船底壁部１２Ａの上には、ドレーンパン２が設置してある。ドレーンパン２は、後述する通風路や陳列室４において結露した水滴などを集めて外部に排出するためのもので、その底面は、排水孔となるドレーン２ａに向けて漸次低くなるように傾斜している。
【００１９】
ケース本体１２は、船底壁部１２Ａよりも上方に位置する部位にドレーンパン２から離隔する態様で設けたデッキパン４Ａと、デッキパン４Ａの後端縁から上方に向けて延在した背面パネル４Ｂと、背面パネル４Ｂの上端縁から前方に向けて延在した天井パネル４Ｃとを有しており、ドレーンパン２とデッキパン４Ａとの間に底面ダクト（通風路）３Ａを画成し、これら、デッキパン４Ａ、背面パネル４Ｂ、天井パネル４Ｃに囲まれた空間に陳列室４を画成する。
【００２０】
デッキパン４Ａは、左右対をなす側板１２Ｄの基部１２Ｄ１と基部１２Ｄ１とに跨って設けられ、底面ダクト３Ａの上面を閉塞している。
【００２１】
背面パネル４Ｂは、背壁部１２Ｂの内側に背壁部１２Ｂと離隔する態様で側板１２Ｄの柱部１２Ｄ２に取り付けてあり、背壁部１２Ｂとの間に背面ダクト（通風路）３Ｂを画成している。背面ダクト３Ｂは、底面ダクト３Ａと連通しており、底面ダクト３Ａと背面ダクト３Ｂとの間で空気が流通する。
【００２２】
天井パネル４Ｃは、天井壁部１２Ｃの内側に天井壁部１２Ｃと離隔する態様で側板１２Ｄの梁部１２Ｄ３に取り付けてあり、天井壁部１２Ｃとの間に天井ダクト（通風路）３Ｃを画成している。天井ダクト３Ｃは、背面ダクト３Ｂと連通しており、背面ダクト３Ｂと天井ダクト３Ｃとの間で空気が流通する。
【００２３】
また、船底壁部１２Ａの前端縁とデッキパン４Ａとの間には、リターングリル５が設置してある。リターングリル５は、陳列室４の前面域から底面ダクト３Ａに空気を吸い込むためのもので、上面には、陳列室４の前面域から底面ダクト３Ａに空気を吸い込むための吸込口５ａが形成してある。吸込口５ａは、ケース本体１２の前後方向に延びる細長い長孔状のスリットを並設したもので、吸込口５ａから底面ダクト３Ａに商品等が落下する事態を防止している。
【００２４】
底面ダクト３Ａの内部、より具体的にはドレーンパン２の上には、ファンダクト６が設置してある。ファンダクト６は、底面ダクト３Ａ、背面ダクト３Ｂ、天井ダクト３Ｃ、陳列室４の前面の順に空気を循環させ、陳列室４の前面にエアカーテンを生成させるためのもので、前面が斜め上方を臨むように、傾斜した角筒形を有している。また、ファンダクト６の前面には、ファン６１が設置してあり、ファン６１を稼働させると、底面ダクト３Ａの内部空気がファンダクト６を通り背面ダクト３Ｂに流入し、陳列室４の前面から底面ダクト３Ａに空気が吸い込まれる。
【００２５】
背面ダクト３Ｂの内部には、蒸発器（熱交換器）６２が設置してある。蒸発器６２は、底面ダクト３Ａから流入した空気との間で熱交換することにより、底面ダクト３Ａから流入した空気を冷却するためのもので、ショーケース１の外部に設けられた冷凍機（図示せず）とともに冷凍サイクルを構成する。そして、底面ダクト３Ａから流入した空気は、蒸発器６２の周囲を通過する際に冷却される。また、上述した冷凍サイクル内には、電磁開閉弁６３（図３参照）が設けてある。電磁開閉弁６３は、蒸発器６２に供給する冷媒の供給量を制御するためのもので、開閉制御することにより、冷媒の供給量を制御する。
【００２６】
また、ファン６１と蒸発器６２との間には、除霜ヒータ６４が設置してある。除霜ヒータ６４は、蒸発器６２に付着した霜を取り除くためのもので、底面ダクト３Ａからファンダクト６に流入した空気を温めることにより、蒸発器６２に付着した霜を融解させる。
【００２７】
天井壁部１２Ｃの前端縁と天井パネル４Ｃの前端縁との間には、ハニカム７が設置してある。ハニカム７は、天井ダクト３Ｃから吹き出す空気を整流するためのもので、上述した吸込口５ａと対向する吹出口７ａを有し、天井ダクト３Ｃから吹出口７ａを通り吹き出された空気は吸込口５ａから吸い込まれ、陳列室４の前面にエアカーテンを生成する。
【００２８】
また、天井壁部１２Ｃの前端縁には、照明装置８が並設してある。照明装置８は、フロントパネル８１により前面が覆われた蛍光灯８２であって、フロントパネル８１の前面に蛍光灯８２を点灯あるいは消灯させるスイッチ８３が設けてある。
【００２９】
また、底面ダクト３Ａの内部であって、吸込口５ａの下方となる位置には、吸込温度センサ９１が取り付けてある。吸込温度センサ９１は、陳列室４の前面域から吸い込んだ空気の温度を計測するためのもので、吸込温度センサ９１が計測した温度は、ショーケース１の制御指標となる。
【００３０】
また、背面ダクト３Ｂの内部であって、蒸発器６２のすぐ上となる位置には、除霜温度センサ９２が取り付けてある。除霜温度センサ９２は、蒸発器６２を通過した空気の温度を計測するためのもので、除霜温度センサ９２が計測した温度は、ショーケース１の制御指標となる。
【００３１】
また、天井ダクト３Ｃの内部であって、ハニカム７の奥となる位置には、温度調節用温度センサ９３が取り付けてある。温度調節用温度センサ９３は、ハニカム７から吹き出す空気の温度を計測するもので、温度調節用温度センサ９３が計測した温度は、ショーケース１の制御指標となる。
【００３２】
また、背面パネル４Ｂの陳列室側、高さ方向中程には、背面温度センサ９４が取り付けてある。背面温度センサ９４は、陳列室内部の温度を計測するためのもので、背面温度センサ９４が計測した温度は、ショーケース１の制御指標となる。
【００３３】
また、天井パネル４Ｃの陳列室側、奥行き方向中程には、庫内温度センサ９５が取り付けてある。庫内温度センサ９５は、背面温度センサ９４と同様、陳列室内部の温度を計測するためのもので、庫内温度センサ９５が計測した温度は、ショーケース１の庫内温度として表示するとともに、ショーケース１の制御指標となる。
【００３４】
また、天井壁部１２Ｃの上面手前側には、外気温度センサ９６が取り付けてある。外気温度センサ９６は、ショーケース１の設置場所の温度を計測するためのもので、外気温度センサ９６が計測した温度は、ショーケース１の制御指標となる。
【００３５】
図３は、図１に示したショーケースの制御構成を示すブロック図である。図４は、図１に示した運転状態と各部位における温度との関係を示す図である。図３に示すように、ショーケース１は、上述したファン６１、電磁開閉弁６３、除霜ヒータ６４を統括的に制御する制御部１０を備えている。制御部１０には、ファン６１、電磁開閉弁６３、除霜ヒータ６４のほか、上述した吸込温度センサ９１、除霜温度センサ９２、温度調節用温度センサ９３、背面温度センサ９４、庫内温度センサ９５、外気温度センサ９６が接続してある。そして、制御部１０は、これらが計測した温度に基づいて電磁開閉弁６３、ファン６１を運転制御することにより、蒸発器６２に供給する冷媒量、蒸発器６２のまわりを流れる空気量を制御し、陳列室４の庫内温度を所定の温度域に維持する。
【００３６】
また、制御部１０は、吸込温度センサ９１、除霜温度センサ９２、温度調節用温度センサ９３、背面温度センサ９４、庫内温度センサ９５、外気温度センサ９６を単体で管理し、信号に異常が認められた場合に故障と判定する。たとえば、温度センサにＮＴＣサーミスタを用いた場合には、抵抗値が所定値よりも大きい場合に断線故障と判定し、抵抗値が所定値よりも小さい場合に短絡故障と判定する。また、制御部１０は、第１の部位に取り付けた温度センサが計測した第１の温度と第１の部位と異なる第２の部位に取り付けた温度センサが計測した温度とがあらかじめ定めた関係を満たさない場合に異常と判定するとともに、異常と判定した場合にその旨を報知する。
【００３７】
具体的には、図４に示すように、冷却運転時には、温度調節用温度センサ９３が計測した温度Ａと除霜温度センサ９２が計測した温度ＢとがＡ≧Ｂ＋２の関係を満たさない場合に異常と判定する。また、冷却運転時であって、かつ、店舗が開店している場合には、温度調節用温度センサ９３が計測した温度Ａと外気温度センサ９６が計測した温度ＣとがＡ＋１５≦Ｃの関係を満たさない場合に異常と判定する。また、冷却運転時であっても、店舗が閉店している場合には、温度調節用温度センサ９３が計測した温度Ａと外気温度センサ９６が計測した温度ＣとがＡ＋５≦Ｃの関係を満たさない場合に異常と判定する。
【００３８】
一方、除霜運転時には、温度調節用温度センサ９３が計測した温度Ａと除霜温度センサ９２が計測した温度ＢとがＡ＜Ｂ−４の関係を満たさない場合に異常と判定する。また、除霜運転時であって、かつ、店舗が開店している場合には、温度調節用温度センサ９３が計測した温度Ａと外気温度センサ９６が計測した温度ＣとがＡ＋８≦Ｃの関係を満たさない場合に異常と判定する。また、除霜運転時であっても、店舗が閉店している場合には、温度調節用温度センサ９３が計測した温度Ａと外気温度センサ９６が計測した温度ＣとがＡ−２≦Ｃの関係を満たさない場合に異常と判定する。
【００３９】
図５は、本発明の実施の形態であるショーケースにおける異常検出手順を示すフローチャートである。上述した実施の形態であるショーケース１は、図５に示すように、冷却運転している場合であって（ステップＳ１：Ｙｅｓ）、温度調節用温度センサ９３が計測した温度Ａと除霜温度センサ９２が計測した温度ＢとがＡ≧Ｂ＋２の関係を満たさない場合（ステップＳ２：Ｎｏ）、すなわち、温度調節用温度センサ９３が計測した温度Ａが除霜温度センサ９２が計測した温度Ｂよりも２°Ｃ以上高くない場合には、異常と判定する（ステップＳ３）。これは、蒸発器６２のまわりを通過する際に冷却された空気が背面ダクト３Ｂから天井ダクト３Ｃに至るまでの間に２°Ｃ以上高くなることによるものである。したがって、ショーケース１の組み立て後まもなくこの関係を満たさない場合には、温度センサの取付位置を間違えている、あるいは、温度センサの接続を誤っている可能性が高い。また、ショーケース１の設置後一定期間経過後にこの関係を満たさない場合には、温度センサが取付位置から脱落している、あるいは、蒸発器６２にアイスバンクが生じている可能性が高い。したがって、異常と判定した場合には、その旨をショーケース１に設けた表示部８４（図３参照）に表示し、あるいは、そのショーケース１を管理する管理装置（図示せず）に報知する。
【００４０】
つぎに、店舗が開店している場合（営業中の場合）であって、温度調節用温度センサ９３が計測した温度Ａと外気温度センサ９６が計測した温度ＣとがＡ＋１５≦Ｃの関係を満たさない場合（ステップＳ４：Ｙｅｓ，ステップＳ５：Ｎｏ）、すなわち、温度調節用温度センサ９３が計測した温度Ａが外気温度センサ９６が計測した温度Ｃよりも１５°Ｃ以上低くない場合には、異常と判定する（ステップＳ６）。これは、蒸発器６２のまわりを通過する際に冷却された空気が外気温度よりも十分（たとえば、１５°Ｃ）に低いことによるものである。したがって、ショーケース１の組み立て後まもなくこの関係を満たさない場合には、温度センサの取付位置を間違えている、あるいは、温度センサの接続を誤っている可能性が高い。また、ショーケース１の設置後一定期間経過後にこの関係を満たさない場合には、温度センサが取付位置から脱落している、あるいは、蒸発器６２にアイスバンクが生じている可能性が高い。したがって、異常と判定した場合には、その旨をショーケース１に設けた表示部８４に表示し、あるいは、そのショーケース１を管理する管理装置に報知する。
【００４１】
一方、店舗が閉店している場合（準備中の場合）であって、温度調節用温度センサ９３が計測した温度Ａと外気温度センサ９６が計測した温度とがＡ＋５≦Ｃの関係を満たさない場合（ステップＳ６：Ｎｏ，ステップＳ７：Ｙｅｓ）、すなわち、温度調節用温度センサ９３が計測した温度Ａが外気温度センサ９６が計測した温度Ｃよりも５°Ｃ以上低くない場合には、異常と判定する。これは、店舗が閉店している場合に必要最小限のエネルギーで商品を冷却していることによるもので、蒸発器６２のまわりを通過する際に冷却された空気の温度と外気温度との温度差（たとえば、５°Ｃ）が小さく設定してある。したがって、ショーケース１の組み立て後まもなくこの関係を満たさない場合には、温度センサの取付位置を間違えている、あるいは、温度センサの接続を誤っている可能性が高い。また、ショーケース１の設置後一定期間経過後にこの関係を満たさない場合には、温度センサが取付位置から脱落している、あるいは、蒸発器６２にアイスバンクが生じている可能性が高い。したがって、異常と判定した場合には、その旨をショーケース１に設けた表示部８４に表示し、あるいは、そのショーケース１を管理する管理装置に報知する。
【００４２】
除霜運転している場合であって、温度調節用温度センサ９３が計測した温度Ａと除霜温度センサ９２が計測した温度とがＡ≦Ｂ−４の関係を満たさない場合（ステップＳ１：Ｎｏ，ステップＳ１２：Ｎｏ）、すなわち、温度調節用温度センサ９３が計測した温度Ａが除霜温度センサ９２が計測した温度Ｂよりも４°Ｃ以上低くない場合には、異常と判定する（ステップＳ１３）。これは、除霜運転している場合には、蒸発器６２への冷媒の供給が停止され、かつ、除霜ヒータ６４により空気が温められることによるものである。したがって、ショーケース１の組み立て後まもなくこの関係を満たさない場合には、温度センサの取付位置を間違えている、あるいは、温度センサの接続を誤っている可能性が高い。また、ショーケース１の設置後一定期間経過後にこの関係を満たさない場合には、温度センサが取付位置から脱落している、あるいは、蒸発器６２にアイスバンクが生じている可能性が高い。したがって、異常と判定した場合には、その旨をショーケース１に設けた表示部８４に表示し、あるいは、そのショーケース１を管理する管理装置に報知する。
【００４３】
つぎに、店舗が開店している場合（営業中の場合）であって、温度調節用温度センサ９３が計測した温度Ａと外気温度センサが計測した温度とがＡ＋８≦Ｃの関係を満たさない場合（ステップＳ１４：Ｙｅｓ，ステップＳ１５：Ｎｏ）、すなわち、温度調節用温度センサが計測した温度Ａが外気温度センサが計測した温度Ｃよりも８°Ｃ以上低くない場合には、異常と判定する（ステップＳ１６）。これは、店舗が開店している場合には除霜運転をしている場合であっても蒸発器６２のまわりを通過した空気が外気温よりやや低いことによるものである（たとえば、８°Ｃ）。したがって、ショーケース１の組み立て後まもなくこの関係を満たさない場合には、温度センサの取付位置を間違えている、あるいは、温度センサの接続を誤っている可能性が高い。また、ショーケース１の設置後一定期間経過後にこの関係を満たさない場合には、温度センサが取付位置から脱落している、あるいは、蒸発器６２にアイスバンクが生じている可能性が高い。したがって、異常と判定した場合には、その旨をショーケース１に設けた表示部８４に表示し、あるいは、そのショーケース１を管理する管理装置に報知する。
【００４４】
一方、店舗が閉店している場合（準備中の場合）であって、温度調節用温度センサが計測した温度Ａと外気温度センサが計測した温度とがＡ−２≦Ｃの関係を満たさない場合（ステップＳ１４：Ｎｏ，ステップＳ１７：Ｎｏ）、すなわち、温度調節用温度センサ９３が計測した温度Ａが外気温度センサ９６が計測した温度Ｃプラス２°Ｃ以下の場合には、異常と判定する（ステップＳ１３）。これは、店舗が閉店している場合に必要最小限のエネルギーで商品を冷却していること、除霜ヒータ６４により空気が温められ、蒸発器６２のまわりを通過した空気の温度が外気温よりも高い場合があることによるものである。したがって、ショーケース１の組み立て後まもなくこの関係を満たさない場合には、温度センサの取付位置を間違えている、あるいは、温度センサの接続を誤っている可能性が高い。また、ショーケース１の運転中にこの関係を満たさない場合には、温度センサが取付位置から脱落している、あるいは、蒸発器６２にアイスバンクが生じている可能性が高い。したがって、異常と判定した場合には、その旨をショーケース１に設けた表示部８４に表示し、あるいは、そのショーケース１を管理する管理装置に報知する。
【００４５】
上述した本発明の実施の形態であるショーケースは、温度調節用温度センサ９３が計測した温度Ａと除霜温度センサ９２が計測した温度Ｂとがあらかじめ定めた関係にない場合、温度調節用温度センサ９３が計測した温度Ｂと外気温度センサ９６が計測した温度Ｃとがあらかじめ定めた関係にない場合に、異常と判定するとともに、異常と判定した場合にその旨を報知するので、温度センサが取付位置から脱落した場合、温度センサの取付位置を間違えた場合、温度センサの接続を誤った場合、蒸発器６２にアイスバンクが生じている場合などに起因する異常を報知することができる。
【００４６】
また、除霜温度センサが計測する温度＜温度調節用温度センサが計測する温度＜背面温度センサが計測する温度≒庫内温度センサが計測する温度＜＜吸込温度センサが計測する温度＜＜外気温度センサが計測する温度の関係を有するので、これらの関係を監視すれば、温度センサが取付位置から脱落した場合、温度センサの取付位置を間違えた場合、温度センサの接続を誤った場合、蒸発器６２にアイスバンクが生じている場合などに起因する異常を報知することができる。
【符号の説明】
【００４７】
１    ショーケース
１２    ケース本体
１２Ａ    船底壁部
１２Ｂ    背壁部
１２Ｃ    天井壁部
１２Ｄ    側板
１２Ｄ１    基部
１２Ｄ２    柱部
１２Ｄ３    梁部
２    ドレーンパン
３Ａ    底面ダクト
３Ｂ    背面ダクト
３Ｃ    天井ダクト
４    陳列室
４Ａ    デッキパン
４Ｂ    背面パネル
４Ｃ    天井パネル
５    リターングリル
５ａ    吸込口
６    ファンダクト
６１    ファン
６２    蒸発器
６３    電磁開閉弁
６４    除霜ヒータ
７    ハニカム
７ａ    吹出口
８４    表示部
９１    吸込温度センサ
９２    除霜温度センサ
９３    温度調節用温度センサ
９４    背面温度センサ
９５    庫内温度センサ
９６    外気温度センサ
１０    制御部
【図１】
2012112580.tif 000003
【図２】
2012112580.tif 000004
【図３】
2012112580.tif 000005
【図４】
2012112580.tif 000006
【図５】
2012112580.tif 000007